(57)【要約】【課題】各コミュニティ内の評価、評判を異なるコミュニティ間で検索、閲覧できるように翻訳することを可能とする。【解決手段】各コミュニティ内の参加者が、コミュニケーションで得られた他の参加者の評価を適したレベルに分けて評判評価装置に入力するステップと、各コミュニティ内で生成したコミュニケーションヘの参加者の評価、評判を、仲介システムを介して異なるコミュニティ間でも検索、閲覧できるように翻訳するステップと、を有し、同一コミュニティ内のコミュニケーションへの参加者が相互のコミュニケーションに基づいて他の参加者を評価し、参加者の評価、評判を形成し、同一コミュニティにおいて評価、評判の開示レベルの設定、検索および閲覧を可能とし、さらに各コミュニティ内のコミュニケーションヘの参加者が異なるコミュニティのコミュニケーションへの参加者の評価、評判を検索、閲覧できる。【選択図】        図１
2005010978.tif 000002
【特許請求の範囲】
【請求項１】
ネットワークに設けられたコミュニケーション用共通掲示板を介して、各コミュニティ内のコミュニケーションヘの参加者が相互にコミュニケーションを行い、その結果に基づいて前記参加者相互の評価、評判情報を生成し、さらに、前記各コミュニティ内の評価、評判を異なるコミュニティ間で検索、閲覧できるように翻訳する、コミュニティ間における評判情報生成方法であって、
前記各コミュニティ内の参加者が、相互にコミュニケーションを行うステップと、
前記各コミュニティ内の参加者が、前記コミュニケーションで得られた他の参加者の評価を適したレベルに分けて評判評価装置に入力するステップと、
前記各コミュニティ内の参加者が、他の参加者の評判を知りたい場合には、前記評判評価装置の評判評価部が該評判評価装置の評価データ蓄積部に蓄積された評価データに基づいて他の参加者の評判を適した形式で評価するステップと、
前記評判評価装置の評価データ演算部が、前記評価データを表示する場合に、前記各コミュニティまたは各コミュニティ内の参加者毎に適した評判の提示を可能とするために、得られた前記評価データを編集し、前記各コミュニティまたは各コミュニティ内の参加者毎に適したアルゴリズムを適用して前記評価データを計算し直すステップと、
前記評判評価装置の評判評価部が、前記評価データ蓄積部に蓄積された前記評価データが評価に十分なだけ蓄積されているか判断し、評価データが少ない場合、通信制御部を介して前記コミュニケーション用共通掲示板を参照し、前記各コミュニティ内のコミュニケーションへの参加者の評価データを取得するステップと、
前記各コミュニティ内で生成した前記コミュニケーションヘの参加者の評価、評判を、仲介システムを介して異なるコミュニティ間でも検索、閲覧できるように翻訳するステップと、
を有し、
同一コミュニティ内の前記コミュニケーションへの参加者が相互のコミュニケーションに基づいて前記他の参加者を評価し、前記参加者の評価、評判を形成し、同一コミュニティにおいて前記評価、評判の開示レベルの設定、検索および閲覧を可能とし、さらに前記各コミュニティ内の前記コミュニケーションヘの参加者が異なるコミュニティの前記コミュニケーションへの参加者の前記評価、評判を検索、閲覧できることを特徴とするコミュニティ間における評判情報生成方法。
【請求項２】
前記コミュニケーション用共通掲示板にメッセージまたはデータを入力する共通掲示板データ入力ステップと、前記共通掲示板データ入力ステップにより入力されたメッセージまたはデータを前記コミュニケーションへの当該参加者以外の他の参加者に送信する掲示板データ送信ステップと、前記共通掲示板データ入力ステップにより入力されたメッセージまたはデータについて前記他の参加者からメッセージまたはデータを受信する掲示板データ受信ステップとを有することを特徴とする請求項１に記載のコミュニティ間における評判情報生成方法。
【請求項３】
前記コミュニケーション用共通掲示板は、各コミュニティ内のコミュニケーションヘの参加者の評判を掲示すること、または、特定の前記参加者の評判データを有している旨のメッセージを掲示する場合、もしくは、特定の前記参加者の評判データを有している旨のメッセージを掲示する場合、前記評判データを有する前記各コミュニティ内の参加者に該評判データの開示を要求するメッセージを送信し、前記要求が了承されれば前記評判データの利用を可能とすること、を特徴とする請求項１または２に記載のコミュニティ間における評判情報生成方法。
【請求項４】
各コミュニティにおけるコミュニケーションヘの参加者の評価、評判を異なるコミュニティにおいても利用可能とする仲介システムであって、各コミュニティの評判の定義を登録する評判定義部と、コミュニティ間で評判を変換するためのアルゴリズムを登録する評判変換部と、各コミュニティで保存されている評判のうち一度利用された前記コミュニケーションヘの参加者の評判をキャシュする評判蓄積部と、からなる仲介システムを含むことを特徴とする請求項１から３のいずれかに記載のコミュニティ間における評判情報生成方法。
【請求項５】
ネットワークに設けられたコミュニケーション用共通掲示板を介して、各コミュニティ内のコミュニケーションヘの参加者が相互にコミュニケーションを行い、その結果に基づいて前記参加者相互の評価、評判情報を生成し、さらに、前記各コミュニティ内の評価、評判を異なるコミュニティ間で検索、閲覧できるように翻訳する、コミュニティ間における評判情報生成のための評判評価プログラムであって、
前記各コミュニティ内の参加者が、前記コミュニケーションで得られた他の参加者の評価を適したレベルに分けて入力する処理を行うステップと、
前記各コミュニティ内の参加者が、他の参加者の評判を知りたい場合に、評価データ蓄積部に蓄積された評価データに基づいて他の参加者の評判を適した形式で評価するステップと、
前記評価データを表示する場合に、前記各コミュニティまたは各コミュニティ内の参加者毎に適した評判の提示を可能とするために、得られた前記評価データを編集し、前記各コミュニティまたは各コミュニティ内の参加者毎に適したアルゴリズムを適用して前記評価データを計算し直すステップと、
前記評価データ蓄積部に蓄積された前記評価データが評価に十分なだけ蓄積されているか判断し、評価データが少ない場合、前記コミュニケーション用共通掲示板を参照し、前記各コミュニティ内のコミュニケーションヘの参加者の評価データを取得するステップと、
前記各コミュニティ内で生成した前記コミュニケーションヘの参加者の評価、評判を、仲介システムを介して異なるコミュニティ間でも利用できるように翻訳し、検索、閲覧を可能とするステップと、
を有し、
同一コミュニティ内の前記参加者が相互のコミュニケーションに基づいて前記他の参加者を適したレベルに評価し、前記参加者の評価、評判を形成し、同一コミュニティにおいて前記評価、評判の開示レベルの設定、検索および閲覧を可能とし、さらに前記各コミュニティ内の前記コミュニケーションヘの参加者が異なるコミュニティの前記コミュニケーションへの参加者の前記評価、評判を検索、閲覧できることを特徴とするコミュニティ間における評判情報生成のための評判評価プログラム。
【請求項６】
請求項１から３のいづれか１項に記載の評判情報生成方法に用いられ、各コミュニティにおけるコミュニケーションヘの参加者の評価、評判を異なるコミュニティにおいても利用可能とする評判情報仲介プログラムであって、
コンピュータに、各コミュニティの評判の定義を登録する評判定義ステップ、コミュニティ間で評判を変換するためのアルゴリズムを登録する評判変換ステップ、および、各コミュニティで保存されている評判のうち一度利用された前記コミュニケーションヘの参加者の評判をキャシュする評判蓄積ステップ、を実行させるためのコミュニティ間における評判情報仲介プログラム。
【請求項７】
ネットワークに設けられたコミュニケーション用共通掲示板を介して、各コミュニティ内のコミュニケーションヘの参加者が相互にコミュニケーションを行い、その結果に基づいて前記参加者相互の評価、評判情報を生成し、さらに、前記各コミュニティ内の評価、評判を異なるコミュニティ間で検索、閲覧できるように翻訳する、コミュニティ間における評判情報生成のための記憶媒体であって、
該記憶媒体がコミュニティ間における評判情報生成のためのプログラムを含み、
前記参加者が前記コミュニケーションで得た他の参加者の評価データを評判評価装置の評価データ蓄積部に蓄積し、
前記参加者が、他の参加者の評判を知りたい場合には、前記評価データ蓄積部に蓄積した前記評価データに基づいて他の参加者の評判の評価を行うことを可能とすることを特徴とするコミュニティ間における評判情報生成のための記憶媒体。
【発明の詳細な説明】
【０００１】
【発明の属する技術分野】
本発明は、コミュニティ間におけるコミュニケーションヘの参加者の相互通信に関する。より詳細には、各コミュニティ内のコミュニケーションヘの参加者が相互にコミュニケーションを行い、その結果に基づいて各コミュニティ内の参加者相互の評価、評判情報を生成し、さらに、各コミュニティ内の評価、評判を異なるコミュニティ間で検索、閲覧できるように翻訳し、各コミュニティにおけるコミュニケーションへの参加者が異なるコミュニティのコミュニケーションヘの参加者とコミュニケーションを行う場合、異なるコミュニティにおけるコミュニケーションへの参加者の評価、評判を自コミュニティにおける評価、評判に照らして参考にすることを可能とするコミュニティ間における評判情報生成方法並びにそのプログラムおよびその記憶媒体に関する。
【０００２】
【従来の技術】
従来、コミュニティ、例えばオークション等の取引には評判という情報に基づく信頼形成手法（特許文献１参照）は存在するが、ネットオークション事業者が異なる場合は、他のオークションサイトで得た評判を引き継いで利用することが出来ない。また、ユーザが入力したメッセージ情報に対し他のユーザが入力したメッセージ評価情報を蓄積し、ユーザが入力したメッセージ情報に対して蓄積された他のユーザによるメッセージ評価情報に基づいてユーザに対する好感度を判定し、ユーザが入力したメッセージ情報を他のユーザへ提示する際に、判定された好感度を反映させてメッセージ情報を表現する手法（特許文献２参照）も存在するが、コミュニティが異なる場合は、他のコミュニティで得た好感度を引き継いで利用することが出来ない。ネットオークションに限らず、種々のコミュニティにおける評判情報が異なる指標等に基づいて形成されていることから、評判を他のコミュニティサイトに引き継いだり、持ち込んだりすることが容易でなく、これが、他のコミュニティとの積極的な交流を阻害する要因になるという問題点がある。
【０００３】
【特許文献１】
特開２００２−１９７３０９号公報
【特許文献２】
特開２００３−１６２４９１号公報
【０００４】
【発明が解決しようとする課題】
本発明は、上記の種々のコミュニティにおける評判情報が異なる指標等に基づいて形成され、そのためコミュニティ間の積極的な交流が阻害される、という従来の問題点を解決することを目的とする。
【０００５】
【課題を解決するための手段】
本発明の第１の態様によれば、ネットワークに設けられたコミュニケーション用共通掲示板を介して、各コミュニティ内のコミュニケーションヘの参加者が相互にコミュニケーションを行い、その結果に基づいて前記参加者相互の評価、評判情報を生成し、さらに、前記各コミュニティ内の評価、評判を異なるコミュニティ間で検索、閲覧できるように翻訳する、コミュニティ間における評判情報生成方法であって、前記各コミュニティ内の参加者が、相互にコミュニケーションを行うステップと、前記各コミュニティ内の参加者が、前記コミュニケーションで得られた他の参加者の評価を適したレベルに分けて評判評価装置に入力するステップと、前記各コミュニティ内の参加者が、他の参加者の評判を知りたい場合には、前記評判評価装置の評判評価部が該評判評価装置の評価データ蓄積部に蓄積された評価データに基づいて他の参加者の評判を適した形式で評価するステップと、前記評判評価装置の評価データ演算部が、前記評価データを表示する場合に、前記各コミュニティまたは各コミュニティ内の参加者毎に適した評判の提示を可能とするために、得られた前記評価データを編集し、前記各コミュニティまたは各コミュニティ内の参加者毎に適したアルゴリズムを適用して前記評価データを計算し直すステップと、前記評判評価装置の評判評価部が、前記評価データ蓄積部に蓄積された前記評価データが評価に十分なだけ蓄積されているか判断し、評価データが少ない場合、通信制御部を介して前記コミュニケーション用共通掲示板を参照し、前記各コミュニティ内のコミュニケーションへの参加者の評価データを取得するステップと、前記各コミュニティ内で生成した前記コミュニケーションヘの参加者の評価、評判を、仲介システムを介して異なるコミュニティ間でも検索、閲覧できるように翻訳するステップと、を有し、同一コミュニティ内の前記コミュニケーションへの参加者が相互のコミュニケーションに基づいて前記他の参加者を評価し、前記参加者の評価、評判を形成し、同一コミュニティにおいて前記評価、評判の開示レベルの設定、検索および閲覧を可能とし、さらに前記各コミュニティ内の前記コミュニケーションヘの参加者が異なるコミュニティの前記コミュニケーションへの参加者の前記評価、評判を検索、閲覧できることを特徴とするコミュニティ間における評判情報生成方法が得られる。
【０００６】
本発明の第２の態様によれば、前記コミュニケーション用共通掲示板にメッセージまたはデータを入力する共通掲示板データ入力ステップと、前記共通掲示板データ入力ステップにより入力されたメッセージまたはデータを前記コミュニケーションへの当該参加者以外の他の参加者に送信する掲示板データ送信ステップと、前記共通掲示板データ入力ステップにより入力されたメッセージまたはデータについて前記他の参加者からメッセージまたはデータを受信する掲示板データ受信ステップとを有することを特徴とするコミュニティ間における評判情報生成方法が得られる。
【０００７】
本発明の第３の態様によれば、前記コミュニケーション用共通掲示板は、各コミュニティ内のコミュニケーションヘの参加者の評判を掲示すること、または、特定の前記参加者の評判データを有している旨のメッセージを掲示する場合、もしくは、特定の前記参加者の評判データを有している旨のメッセージを掲示する場合、前記評判データを有する前記各コミュニティ内の参加者に該評判データの開示を要求するメッセージを送信し、前記要求が了承されれば前記評判データの利用を可能とすること、を特徴とするコミュニティ間における評判情報生成方法が得られる。
【０００８】
本発明の第４の態様によれば、各コミュニティにおけるコミュニケーションヘの参加者の評価、評判を異なるコミュニティにおいても利用可能とする仲介システムであって、各コミュニティの評判の定義を登録する評判定義部と、コミュニティ間で評判を変換するためのアルゴリズムを登録する評判変換部と、各コミュニティで保存されている評判のうち一度利用された前記コミュニケーションヘの参加者の評判をキャシュする評判蓄積部と、からなる仲介システムを含むことを特徴とするコミュニティ間における評判情報生成方法が得られる。
【０００９】
本発明の第５の態様によれば、ネットワークに設けられたコミュニケーション用共通掲示板を介して、各コミュニティ内のコミュニケーションヘの参加者が相互にコミュニケーションを行い、その結果に基づいて前記参加者相互の評価、評判情報を生成し、さらに、前記各コミュニティ内の評価、評判を異なるコミュニティ間で検索、閲覧できるように翻訳する、コミュニティ間における評判情報生成のための評判評価プログラムであって、前記各コミュニティ内の参加者が、前記コミュニケーションで得られた他の参加者の評価を適したレベルに分けて入力する処理を行うステップと、前記各コミュニティ内の参加者が、他の参加者の評判を知りたい場合に、評価データ蓄積部に蓄積された評価データに基づいて他の参加者の評判を適した形式で評価するステップと、前記評価データを表示する場合に、前記各コミュニティまたは各コミュニティ内の参加者毎に適した評判の提示を可能とするために、得られた前記評価データを編集し、前記各コミュニティまたは各コミュニティ内の参加者毎に適したアルゴリズムを適用して前記評価データを計算し直すステップと、前記評価データ蓄積部に蓄積された前記評価データが評価に十分なだけ蓄積されているか判断し、評価データが少ない場合、前記コミュニケーション用共通掲示板を参照し、前記各コミュニティ内のコミュニケーションヘの参加者の評価データを取得するステップと、前記各コミュニティ内で生成した前記コミュニケーションヘの参加者の評価、評判を、仲介システムを介して異なるコミュニティ間でも利用できるように翻訳し、検索、閲覧を可能とするステップと、を有し、同一コミュニティ内の前記参加者が相互のコミュニケーションに基づいて前記他の参加者を適したレベルに評価し、前記参加者の評価、評判を形成し、同一コミュニティにおいて前記評価、評判の開示レベルの設定、検索および閲覧を可能とし、さらに前記各コミュニティ内の前記コミュニケーションヘの参加者が異なるコミュニティの前記コミュニケーションへの参加者の前記評価、評判を検索、閲覧できることを特徴とするコミュニティ間における評判情報生成のための評判評価プログラムが得られる。
【００１０】
本発明の第６の態様によれば、前記の評判情報生成方法に用いられ、各コミュニティにおけるコミュニケーションヘの参加者の評価、評判を異なるコミュニティにおいても利用可能とする評判情報仲介プログラムであって、コンピュータに、各コミュニティの評判の定義を登録する評判定義ステップ、コミュニティ間で評判を変換するためのアルゴリズムを登録する評判変換ステップ、および、各コミュニティで保存されている評判のうち一度利用された前記コミュニケーションヘの参加者の評判をキャシュする評判蓄積ステップ、を実行させるためのコミュニティ間における評判情報仲介プログラムが得られる。
【００１１】
本発明の第７の態様によれば、ネットワークに設けられたコミュニケーション用共通掲示板を介して、各コミュニティ内のコミュニケーションヘの参加者が相互にコミュニケーションを行い、その結果に基づいて前記参加者相互の評価、評判情報を生成し、さらに、前記各コミュニティ内の評価、評判を異なるコミュニティ間で検索、閲覧できるように翻訳する、コミュニティ間における評判情報生成のための記憶媒体であって、該記憶媒体がコミュニティ間における評判情報生成のためのプログラムを含み、前記参加者が前記コミュニケーションで得た他の参加者の評価データを評判評価装置の評価データ蓄積部に蓄積し、前記参加者が、他の参加者の評判を知りたい場合には、前記評価データ蓄積部に蓄積した前記評価データに基づいて他の参加者の評判の評価を行うことを可能とすることを特徴とするコミュニティ間における評判情報生成のための記憶媒体が得られる。
【００１２】
以下に、添付の図面を用いて本発明の構造と動作を説明する。以下の説明は、本発明の理解を助けるものであって、本発明の請求範囲を制限するものではない。
【００１３】
【発明の実施の形態】
図１は、本発明の実施形態によるコミュニティ間における評判情報生成方法の望ましい実施形態を説明する図であって、１はネットワーク、２はコミュニティの参加者相互のコミュニケーション用共通掲示板、３−１、３−２はコミュニティのコミュニケーションヘの参加者、４はコミュニティのコミュニケーションヘの参加者毎に設けられる評判評価装置、４−１は各評判評価装置が有する通信制御部、４−２は各評判評価装置が有する評判評価部、４−３は各評判評価装置が有する評価データ演算部、４−４は各評判評価装置が有する評価データ蓄積部、５は各コミュニティの評価、評判を異なるコミュニティで検索、閲覧できるように翻訳する仲介システムである。
【００１４】
図１において、ネットワーク１に設けられたコミュニケーション用共通掲示板２を介して、各コミュニティ内のコミュニケーションヘの参加者が相互にコミュニケーションを行い、その結果に基づいて参加者相互の評価を行い、その評価データを評判評価装置４に入力し、入力された評価データを評価装置４の通信制御部４−１を介して他の参加者の端末に送信する。例えば、図１で、各コミュニティのコミュニケーションヘの参加者３−１または３−２が３−２または３−１と相互にコミュニケーションを行い、例えば、参加者３−１が、他の参加者３−２とのコミュニケーションで得られた評価データを評判評価装置４に入力し、入力された評価データを評判評価装置の通信制御部４−１を介して、例えば他の参加者３−２の端末に送信する。
【００１５】
他の参加者の評価は、例えば、［良い］を３、［普通］を２、［悪い］を１に対応させた数値形式で入力することが出来る。参加者３−１が、例えば、他の参加者３−２の評判を知りたい場合には、評判評価装置４の評判評価部４−２が評判評価装置４の評価データ蓄積部４−４に蓄積された評価データに基づいて、他の参加者３−２の評判の評価を行う。コミュニティや参加者毎に適した評判の提示を可能とするために、評価データを表示する場合には、評判評価装置４の評価データ演算部４−３が、得られた評価データを編集し、適したアルゴリズムを適用して評価データを計算し直す。評判評価装置４は、評価データ蓄積部４−４に蓄積された評価データが評価に十分なだけ蓄積されているか判断し、評価データが少ない場合、通信制御部４−１を介してコミュニケーション用共通掲示板２を参照する。
【００１６】
コミュニケーション用共通掲示板２は、各コミュニティ内のコミュニケーションヘの参加者が他の参加者にメッセージまたはデータを送信し、他の参加者からメッセージまたはデータを受信出来る、コミュニケーションヘの参加者相互が相互に情報を交換する場であり、コミュニティのコミュニケーションヘの参加者の評判を掲示し、あるいは「特定の前記参加者の評判データを有している」とのメッセージを掲示し、「特定の前記参加者の評判データを有している」とのメッセージを掲示する場合、例えば、コミュニケーションヘの参加者３−２が、他の参加者３−１の評判データを有する場合、参加者３−２に評判データの開示を要求するメッセージを送信する。評判データの開示要求を参加者３−２が了承すれば、評判データを開示し、参加者３−１が閲覧可能となる。
【００１７】
以上の方法により、同一コミュニティ内のコミュニケーションヘの参加者が相互のコミュニケーションに基づいて他の参加者を評価し、その評価からコミュニケーションへの参加者の評判を形成し、同一コミュニティにおいて評判の開示レベルの設定、検索および閲覧が出来る。また、以上のようにして、コミュニケーションへの参加者が複数の参加者の評価が得られれば、参加者の評判が全体の中でどのような位置にあるかを知ることが出来る。
【００１８】
次に、各コミュニティにおけるコミュニケーションへの参加者の評価、評判を異なるコミュニティにおいても利用可能とするために仲介システム５は、各コミュニティの評判の定義を登録する評判定義部と、コミュニティ間で評判を変換するためのアルゴリズムを登録する評判変換部と、各コミュニティで保存されている評判のうち一度利用された前記コミュニケーションヘの参加者の評判をキャシュする評判蓄積部と、評判仲介を利用する課金処理部を含み、各コミュニティで得られたコミュニケーションへの参加者３−１、３−２等の評判を定義し、参加者の評判を各コミュニティや各コミュニティ内の参加者毎に適したアルゴリズムにより異なるコミュニティで検索、閲覧するのに適した形式に変換する。
【００１９】
例えば、コミュニティＡにおける評価の定義が、前記のように、［良い］を３、［普通］を２、［悪い］を１とする３段階のレベルのものであり、コミュニティＢにおける評価の定義が、［信用できる］をＹ、［信用できない］をＮとする２段階のレベルのものである場合、これらを評判定義部に登録する。そして、コミュニティＢの参加者の評判をコミュニティＡの参加者が閲覧する場合のアルゴリズムとしては、例えば、Ｙの場合は３に変換し、Ｎの場合は１に変換するアルゴリズムを評判変換部に登録する。逆にコミュニティＡの参加者の評判をコミュニティＢの参加者が閲覧する場合のアルゴリズムとしては、例えば、３の場合はＹに変換し、２の場合は評価を表示せず、１の場合はＮに変換するアルゴリズムを評判変換部に登録する。
【００２０】
コミュニケーションへの参加者の評判は、一度利用され、評価を受けると、その評価に応じて、再評価され、記憶される。
【００２１】
各コミュニティの参加者は、自分の属するコミュニティの評判評価装置にアクセスし、異なるコミュニティの参加者の評判を、仲介システムを介して異なるコミュニティ間でも利用できるように翻訳し、検索、閲覧することができる。
【００２２】
以上に説明したように、各コミュニティの参加者が相互のコミュニケーションにより参加者毎の評価、評判を形成し、保存することにより参加者の評判をコミュニティ内で自由に検索、閲覧できる。
【００２３】
さらに、従来、評価、評判はコミュニティにより評価の仕方や評判の表現方法が異なり、コミュニティが違うと利用できなかったが、本発明の実施形態によれば、異なるコミュニティ間の評価、評判を「翻訳する」専用の仲介システムを設けることにより、評価、評判は異なるコミュニティ間でも利用することが可能となる。
【００２４】
図２は、本発明の実施形態によるコミュニティ間における評判情報生成のためのプログラムの動作を説明する図である。
【００２５】
図２で、
ｐ１は、各コミュニティの参加者が相互にコミュニケーションを行うステップ、
ｐ２は、各コミュニティのある参加者が他の参加者の評価データを入力し、入力された評価データを他の前記参加者の端末に送信するステップ、
ｐ３は、各コミュニティのある参加者の要求により他の参加者の評判の評価を行うステップ、
ｐ４は、適したアルゴリズムを適用して評価データを計算し直すステップ、
ｐ５は、評判評価データが少なく、コミュニケーション用共通掲示板２を参照するステップ、
ｐ６は、コミュニケーション用共通掲示板２に「ある参加者が他の参加者の評判データを有する」表示があり、コミュニケーション用共通掲示板２がその参加者に評判データの開示要求を送り、その参加者が他の参加者の開示要求を了承すれば、評判データを開示するステップ、
である。
【００２６】
ｐ７は、各コミュニティの評判の定義を登録する仲介システムのステップ、
ｐ８は、コミュニティ間で評判を変換するためのアルゴリズムを登録する仲介システムのステップ、
ｐ９は、各コミュニティで保存されている評判のうち一度利用されたコミュニケーションヘの参加者の評判をキャシュする仲介システムのステップ、
ｐ１０は、評判仲介を利用する課金を処理する仲介システムのステップ、
である。
【００２７】
以上に説明した本発明の実施形態によるプログラムにより、コミュニティ間における評判情報生成方法を実現することが出来る。
【００２８】
図３は、本発明の実施形態による、コミュニティ間における評判情報生成のための、評判評価装置４が有する評価データ蓄積部４−４の記録媒体の機能を説明する図である。
【００２９】
図３で、参加者３−１に関する評価データ蓄積部４−４の機能を例に取り説明する。ｐは、評判評価装置４の評価データ蓄積部４−４の記憶媒体が蓄積するコミュニティ間における評判情報生成のためのプログラムであり、
ｍ１は、コミュニケーションへの参加者３−１が評価データ蓄積部４−４の記憶媒体に他の参加者３−２の評価データを蓄積する機能、
ｍ２は、コミュニケーションヘの参加者３−１の要求により、評判評価部４−２が他の参加者３−２の評判の評価のために評価データ蓄積部４−４の記憶媒体に蓄積した評価データを読み出す機能、
ｍ３は、仲介システム５を介して、評判評価装置４の評価データ蓄積部４−４が蓄積する各コミュニティ内の評価、評判データを異なるコミュニティ間で検索、閲覧できるように翻訳する機能、
である。
【００３０】
以上に説明した本発明の実施形態による記憶媒体により、コミュニティにおける評判情報生成方法を実現することが出来る。
【００３１】
以上、本発明者によってなされた発明を、前記実施形態に基づき具体的に説明したが、本発明は、前記実施形態に限定されるものではなく、その要旨を逸脱しない範囲において種々変更可能であることは勿論である。
【００３２】
【発明の効果】
以上に説明したように、本発明によるコミュニティ間における評判情報生成方法およびそのプログラムおよびその記憶媒体によれば、種々のコミュニティにおける評判情報が異なる指標等に基づいて形成され、そのためコミュニティ間の積極的な交流が阻害される、という従来の問題点を解決することが出来る。
【００３３】
これにより、各コミュニティの参加者が、他の参加者の評判を参考にしながら、コミュニケーションを行うことが出来、コミュニティ内でのコミュニケーションの活性化、不正行為の防止が可能となる。また、本発明による仲介システムの導入により、異なるコミュニティ間でコミュニケーションヘの参加者の評判の流通が可能になる。
【図面の簡単な説明】
【図１】本発明の実施形態によるコミュニティ間における評判情報生成方法の望ましい実施形態を説明する図である。
【図２】本発明の実施形態によるコミュニティにおける評判情報生成のためのプログラムの動作を説明する図である。
【図３】本発明の実施形態による、コミュニティにおける評判情報生成のための評判評価装置が有する記憶媒体の機能を説明する図である。
【符号の説明】
１…ネットワーク
２…コミュニケーション用共通掲示板
３−１，３−２…コミュニケーションヘの参加者
４…評判評価装置
４−１…通信制御部
４−２…評判評価部
４−３…評価データ演算部
４−４…評価データ蓄積部
５…仲介システム
ｐ１〜ｐ６…プログラムのステップ
ｐ７〜Ｐ１０…仲介システムのステップ
ｐ…プログラム
ｍ〜ｍ３…記憶媒体の機能
【図１】
2005010978.tif 000003
【図２】
2005010978.tif 000004
【図３】
2005010978.tif 000005